(57)【要約】【課題】強度を必要とする部材を一体に形成して、部品点数を減少させ、かつ、組み付けコストを削減できる携帯電子機器を提供することである。【解決手段】携帯電話機１は、第２筐体３と、上部ストラップブラケット８と、前記第２筺体３の内部に配設され、上部ストラップブラケット８の一部が外部に露出し、かつ、露出部分にストラップが取り付けられるための抜け穴を有し、上部ストラップブラケット８はスピーカ収納部２０と一体的に形成されている。【選択図】図６
2010154357.tif 000002
【特許請求の範囲】
【請求項１】
筐体と、
ストラップブラケットと、
前記筐体の内部に配設され、前記ストラップブラケットの一部が外部に露出し、かつ、露出部分にストラップが取り付けられるための抜け穴を有し、
前記ストラップブラケットは、スピーカ収納部と一体的に形成されている
携帯電子機器。
【請求項２】
前記筐体の内部には、バッテリー収納空間側に引き出し可能なＩＣカードトレイを有し、
前記ストラップブラケットは前記ＩＣカードトレイの動きを規制する規制部をも有する
請求項１に記載の携帯電子機器。
【請求項３】
前記筐体に前記ストラップブラケットを係止するための係止部材を有し、
前記係止部材の少なくとも１つは前記スピーカと前記規制部との近傍に配置される
請求項２に記載の携帯電子機器。
【請求項４】
前記ストラップブラケットは、自己潤滑性の樹脂で形成されている
請求項２〜３いずれか１項に記載の携帯電子機器。
【発明の詳細な説明】
【技術分野】
【０００１】
本発明は携帯電話機、ＰＤＡ、携帯型ゲーム機、携帯用テレビ、携帯用ラジオ等の携帯電子機器に関する。
【背景技術】
【０００２】
特許文献１のように、ストラップを取り付けるストラップブラケットとスピーカが取り付けられるスピーカ収納部が別体によって構成される携帯電子機器が知られている。
また、特許文献２のように、帯状のストラップを携帯電話機の筺体の２ヵ所に係止する発明も知られている。
【特許文献１】特開２００４―３５６９９４号公報
【特許文献２】特開２００６―２７９９０７号公報
【発明の開示】
【発明が解決しようとする課題】
【０００３】
しかし、スピーカは振動を発生する部材であるから、振動を抑制するために携帯電子機器の筐体と強固に固定されている必要があり、スピーカを収納する部材には強度が必要である。
さらに、ストラップはユーザによって引っ張られるなどの負荷がかけられることがあり、それと携帯電子機器とを結合させるストラップブラケットも強度が必要な部材である。
このような、強度を必要とする部材を別の部材として構成することは、部品点数の増加や、組み付けコストの増加等を招いてしまう。
【０００４】
本発明の目的は、強度を必要とする部材を一体に形成して、部品点数を減少させ、かつ、組み付けコストを削減できる携帯電子機器を提供することである。
【課題を解決するための手段】
【０００５】
本発明の携帯電子機器は、筐体と、ストラップブラケットと前記筐体の内部に配設され、前記ストラップブラケットの一部が外部に露出し、かつ、露出部分にストラップが取り付けられるための抜け穴を有し、前記ストラップブラケットは、スピーカ収納部と一体的に形成されている。
【０００６】
好適には、前記筐体の内部には、バッテリー収納空間側に引き出し可能なＩＣカードトレイを有し前記ストラップブラケットは前記ＩＣカードトレイの動きを規制する規制部をも有する。
【０００７】
好適には、前記筐体に前記ストラップブラケットを係止するための係止部材を有し、前記係止部材の少なくとも１つは前記スピーカと前記規制部との近傍に配置される。
【０００８】
好適には、前記ストラップブラケットは、自己潤滑性の樹脂で形成されている。
【発明の効果】
【０００９】
本発明によれば、強度を必要とする部材を一体に形成して、部品点数を減少させ、かつ、組み付けコストを削減できる携帯電子機器を提供することができる。
【発明を実施するための最良の形態】
【００１０】
図１は、本発明の実施形態に係る携帯電話機１の外観を開状態で示す斜視図である。
【００１１】
携帯電話機１は、いわゆる折り畳み式の携帯電話機１として構成されており、開状態と閉状態との間で互いに回動可能に連結された第１筐体２及び第２筐体３を有している。図１は、第１筐体２及び第２筐体３の開状態を示している。第１筐体２は、第２筐体３と対向する部分を構成する第１筐体フロントケース４と、第２筐体３とは反対側部分を構成する第１筐体リアケース５とを有している。第２筐体３は、第１筐体２と対向する部分を構成する第２筐体フロントケース６と、第１筐体２とは反対側部分を構成する第２筐体リアケース７とを有している。
【００１２】
第１筐体フロントケース４及び第１筐体リアケース５はネジ等により互いに固定され、第１筐体フロントケース４及び第１筐体リアケース５の間に形成された空間に種々の電子部材を収容する収容空間を構成する。第２筐体フロントケース６及び第２筐体リアケース７もネジ等により互いに固定され、第２筐体フロントケース６及び第２筐体リアケース７の間に形成された空間に種々の電子部材を収容する収容空間を構成する。
これらの第１筐体フロントケース４、第１筐体リアケース５、第２筐体フロントケース６及び第２筐体リアケース７は、例えば、樹脂により形成されている。
【００１３】
なお、方向を示すときは、第１筐体リアケース５から第１筐体フロントケース４に向かう方向を内部側方向といい、第１筐体フロントケース４から第１筐体リアケース５に向かう方向を外部側方向という。
同様に第２筐体リアケース７から第２筐体フロントケース６に向かう方向を内部側方向といい、第２筐体フロントケース６から第２筐体リアケース７に向かう方向を外部側方向という。
【００１４】
図２は、外部側方向から内部側方向を向いて第２筐体３を斜めから見た外観斜視図である。
【００１５】
第２筐体リアケース７は、ベルト状のストラップを通してストラップを固定するための上部ストラップブラケット８及び下部ストラップブラケット９を有する。
この上部ストラップブラケット８及び下部ストラップブラケット９の両方を通したベルト状のストラップを用いることで、携帯電話機１を容易に持ち運ぶことができる。
【００１６】
上部ストラップブラケット８と下部ストラップブラケット９との間には、バッテリーカバー１０がある。このバッテリーカバー１０で覆われている第２筐体３内部には後述するバッテリー収納空間１１が存在し、そのバッテリー収納空間１１には図示しないバッテリーが収納される。
つまり、上部ストラップブラケット８及び下部ストラップブラケット９はバッテリー収納空間１１に隣接して配置されている。
【００１７】
上部ストラップブラケット８及び下部ストラップブラケット９は、ベルト状のストラップベルトを通して、ストラップベルトを固定することを目的としているため、第１筐体及び第２筐体３よりもさらに強度を必要とする。
そこで、上部ストラップブラケット８及び下部ストラップブラケット９は、例えば、ガラス繊維を中に混ぜ込んだナイロン樹脂等の強度の高いプラスチックで構成する。場合によっては、金属によって構成されていてもよい。
ただし、上部ストラップブラケット８は自己潤滑性のある樹脂（プラスチック）で構成する。その理由は後述する。
【００１８】
また、上部ストラップブラケット８の側部にはリアケーススピーカ用穴２５が設けられている。
【００１９】
図３は図２と同じ位置から、バッテリーカバー１０及びバッテリーを除去した第２筐体リアケース７を見た外観斜視図である。
【００２０】
バッテリーカバー１０があった位置にはバッテリー収納空間１１があり、この空間にＩＣカードトレイ取手部１４及び規制部１５が面している。
ＩＣカードトレイ取手部１４及び規制部１５は隣接して配置されている。ＩＣカードトレイ取手部１４及び規制部１５は隣接して配置されている上に、ＩＣカードトレイ取手部１４はかなり小さいのであるから、ユーザ等が図示しないＩＣカード３０を引き出すためにＩＣカードトレイ１２に触れた時には、その指先がＩＣカードトレイ取手部１４のみならず規制部１５にも触れることになる。
そこで、規制部１５に水濡れ検知シートを取り付けておくことによって、ユーザ等が濡れた手で第２筐体３内部を操作したことを検知することができる。
ＩＣカードトレイ取手部１４は後述するＩＣカードトレイ１２の一部であり、さらに、ＩＣカードトレイ１２は後述するＩＣカードホルダ１３の一部である。
また、規制部１５は上部ストラップブラケット８の一部である。
【００２１】
ここで、ＩＣカード３０とは、携帯電話機１の電話番号の情報等を記憶しているカードである。携帯電話機１を交換する時には、これを抜いて他の携帯電話機１に差し込むことで、同一の電話番号によって発信及び着信できるようにするものである。
また、このＩＣカード３０は、その内部の記憶素子の情報によって正しい携帯電話機１から発信されている電波であるかを認証するという認証機能も有している。
ＩＣカード３０は図５の記載のようにＩＣカード端子３１を有する。
そして、ＩＣカードトレイ１２にＩＣカード３０が収納された状態で、ＩＣカードトレイ１２がＩＣカードホルダ１３に内に押し込まれて収納されると、ＩＣカード端子３１は携帯電話機１の電子基板側の端子と接続する。
これによって、ＩＣカード内の記憶素子内に記憶された情報を携帯電話機の信号処理系統は読み出すことができる。または、逆に、ＩＣカード３０内の記憶素子に携帯電話機１の信号処理系はデータを書き込むことができる。
なお、ＩＣカード３０は電話番号に加えて、電話帳情報、着信履歴及び使用者のプロフィール等も記憶している場合もある。
さらになお、ＩＣカード３０にはさまざまな種類があり、ＳＩＭカード（Subscriber Identity Module Card）、ＵＳＩMカード（Universal Subscriber Identity Module Card）、ＩＭＳＩカード（International Mobile Subscriber Identity Card）及びＰＩＭカード(Personal Handyphone System Identity Module Card)がある。
【００２２】
図４は、図３と同じ位置からの外観図であるが、ＩＣカードトレイ１２を引き出したものである。
このＩＣカードトレイ１２内にＩＣカード３０を入れ込んで、このＩＣカードトレイ１２を図４の右上方向に押し入れることによって、図示しないＩＣカード３０を携帯電話機１と電気的に接続させることができる。なお、図４は、ＩＣカード３０を取り出した後の図であることから図示されていない。
ところで、ＩＣカード３０の抜き差しは携帯電話機１の変更、修理の時等の限定した場合にしか行われず、携帯電話機１の外部には面していないので、ＩＣカードホルダ１３がＩＣカードトレイ１２を支持する機構の強度は比較的低く設計されている。そのため、ＩＣカードトレイ１２は図４で図示する左右方向に容易に振れてしまう可能性がある。そのように、ＩＣカードトレイ１２が振れてしまった状態でＩＣカードトレイ１２を差し込むと、ＩＣカード３０が携帯電話機１と適切に電気的に接続されず、ＩＣカード３０が認識されない。悪くすると、ＩＣカード３０内の情報自体が毀損されるおそれがある。
そこで、規制部１５がＩＣカードトレイ１２の側面と接することによってその振れを制限する。なお、規制部１５とは反対のＩＣカードトレイ１２の側面については第２筐体リアケース７によって規制している。
規制部１５は強度の高い材料から構成される上部ストラップブラケット８の一部であるから、ＩＣカードトレイ１２の振れを制限することができる。また、規制部１５は強度が高いことから破損の恐れも少なくなる。
さらに、上部ストラップブラケット８を自己潤滑性がある樹脂（プラスチック）で構成した時には、この規制部１５も上部ストラップブラケット８の一部であることから、この規制部１５も自己潤滑性を有することになる。
その場合には、規制部１５に潤滑性が生まれるので、ＩＣカードトレイ１２が接触した場合でも、滑らかにＩＣカードトレイ１２をガイドすることができ、ＩＣカードトレイ１２又はＩＣカードホルダ１３の棄損を防ぐことができる。
【００２３】
図５は、第２筐体３を内部側から見た外観図であり、ＩＣカード３０、ＩＣカードホルダ１３、上部ストラップブラケット８、スピーカ１６を取り付ける場面を表したものである。
【００２４】
ＩＣカードホルダ１３は、上部ストラップブラケット８の後述するＩＣカードホルダ収納部１９に収納される。
【００２５】
上部ストラップブラケット８は第１ネジ１７及び第２ネジ１８によって、第２筐体リアケース７に固定される。また、上部ストラップブラケット８には後述するスピーカ収納部２０を有しこの部分にスピーカ１６が収納される。
【００２６】
ところで、スピーカ１６は金属製の材料から構成される場合が多く、第１筐体２及び第２筐体３を構成するプラスチック材料に比べると、強度が高い半面、外力による変形が起こると、プラスチック材料に比べて容易に塑性変形してしまうという性質を有する。
その性質のため、携帯電話機１に外力が加わり携帯電話機１が変形して、その後にその該力が除去された場合に、携帯電話機１の第１筐体２及び第２筐体３は外力が加わる前の状態に戻ることができたとしても、スピーカ１６は変形が残ってしまうことが生じる。
この事態を避けるために、スピーカ１６を強度の高い材料から構成される上部ストラップブラケット８に収納する。つまり、スピーカ１６を強度の高い上部ストラップブラケット８によって保護することによって、スピーカ１６に不要な外力が加わり、スピーカ１６が変形、さらには変形による塑性変形を防ぐ。
【００２７】
また、第２筐体リアケース７に穿かれるリアケーススピーカ用穴２５のまわり部分は、穴をあけられていることから、第２筐体リアケース７の中でも強度が弱い部分である。
そのため、この部分が毀損してしまうことがある。その場合であっても、スピーカ１６を保持する上部ストラップブラケット８が強度の高い材料から構成されていることから、スピーカ１６を保護し、変形及び棄損を防ぐことができる。
【００２８】
図６は、第２筐体リアケース７の拡大斜視図である。具体的には、第２筐体リアケース７に上部ストラップブラケット８を第１ネジ１７及び第２ネジ１８を用いて組み付け、さらに上部ストラップブラケット８にスピーカ１６をも嵌めこんだ状態で、その部分を拡大したものである。
【００２９】
上部ストラップブラケット８の図６の左側部分に第２ネジ１８が配置され、この第２ネジ１８を螺着することによって第２筐体リアケース７と上部ストラップブラケット８とを結合している。
【００３０】
また、上部ストラップブラケット８の図６の中央部右下部分に第１ネジ１７が配置され、この第１ネジ１７を螺着することによって第２筐体リアケース７と上部ストラップブラケット８とを結合している。
この第１ネジ１７の近傍、具体的には右上部分にはスピーカ１６が配設されている。スピーカ１６と第２ネジ１８との間には他の部分より凹んだ部分を有しており、この部分にＩＣカードホルダ１３が収納されるＩＣカードホルダ収納部１９が形成される。
また、第１ネジ１７の近傍にはＩＣカードトレイ１２の振れを防止するための規制部１５が配設されている。
また、ＩＣカードトレイ１２の振れを第２筐体リアケース７側で防止するのが、リアケース側規制部２６である。
【００３１】
このように、第１ネジ１７を規制部１５の近傍に配置したことによって、規制部１５を強固に固定することができる。つまり、単に規制部１５があることによってもＩＣカードトレイ１２の振れを防止することはできるが、規制部１５自体が強固に固定されていることによって、より確実にＩＣカードトレイ１２の振れを防止できる。
また、第１ネジ１７と第２ネジ１８とが、対角線上に配置されることによって、より強固に第２筐体リアケース７と上部ストラップブラケット８とを結合することができる。
さらにまた、第１ネジはスピーカ収納部２０と規制部１５とのほぼ中間に配置されている。これによって、規制部１５を固定するとともに同時にスピーカ収納部２０をも強固に固定している。
【００３２】
図７は、上部ストラップブラケット８の拡大図である。具体的には、図７（ａ）は外部側方向から見た上部ストラップブラケット８であり、図７（ｂ）は内部側方向から見た上部ストラップブラケット８である。
【００３３】
まず、図７（ａ）から説明をする。上部ストラップブラケット８の中央部分には長方形の断面をした棒状のストラップ取付部２１が配設されている。そして、このストラップ取付部２１をストラップブラケットベース部２８に取り付けるために、ストラップ取付部支持部２７が配設される。
このストラップ取付部支持部２７のストラップ取付部２１側の面、及び、ストラップブラケットベース部２８のストラップ取付部２１側の面は、上部ストラップブラケット８を第２筐体リアケース７に組み付けたときに、携帯電話機１の外側表面を構成する。
つまり、ストラップ取付部支持部２７のストラップ取付部２１側の面、ストラップブラケットベース部２８のストラップ取付部２１側の面、及び、第２筐体リアケース７のストラップ取付部２１側の面によって、第２筐体リアケース７には第２筐体リアケース７の他の面よりも凹んだ空間を形成する。そして、その空間を貫通するようにストラップ取付部２１が伸びることになる。
他の表現を用いると、第２筐体リアケース７の表面から潜っていった穴が同じ表面に再び出ているＵ字状のトンネル、つまり抜け穴になっている。
ストラップ取付部２１はこの部分に帯状のストラップを回して、帯状のストラップを取り付けるためのものである。
【００３４】
第１ネジ貫通穴２３は第１ネジ１７を通すためのものであり、第２ネジ貫通穴２２は第２ネジ１８を通すためのものである。第１ネジ１７と第２ネジ１８は対角線上に配置されるので、第１ネジ貫通穴２３と第２ネジ貫通穴２２も同じく対角線上に配置される。
第１ネジ貫通穴２３の近傍には、ストラップ取付部２１の長手方向に延びている規制部１５が配置されている。
【００３５】
図７（ａ）において、第１ネジ貫通穴２３とストラップ取付部２１の左側にはスピーカ用穴２４が穿かれている。このスピーカ用穴２４を通ってスピーカ１６によって発生された音声が外部に伝達される。なお、このスピーカ用穴２４の位置は図２でのリアケーススピーカ用穴２５と対応した位置に配設される。
スピーカ用穴２４の周りにはスピーカ用穴突起部２９が形成されている。そして、スピーカ用穴突起部２９は、上部ストラップブラケット８が第２筐体リアケース７に組みつけられたときに、第２筐体リアケース７に接触する。
そのため、第２筐体リアケース７は、強化プラスチックによって形成される強度の高い上部ストラップブラケット８によって第２筐体リアケース７の内部から支えられることになり、その部分の強度が増す。つまり、図２のリアケーススピーカ用穴２５の周りが、凹むような変形することを防止することができる。
【００３６】
次に、図７（ｂ）について説明する。図７（ｂ）の右側部分にはスピーカ用穴２４が穿かれていて、それに対応する部分にスピーカ１６をはめ込むためのスピーカ収納部２０が配設されている。
また、スピーカ収納部２０と第２ネジ貫通穴２２との間に、ＩＣカードホルダ収納部１９が配設されている。
【００３７】
以上の実施形態によれば、携帯電話機１は、第２筐体３と、上部ストラップブラケット８と、前記第２筺体３の内部に配設され、上部ストラップブラケット８一部が外部に露出し、かつ、露出部分にストラップが取り付けられるための抜け穴を有し、上部ストラップブラケット８はスピーカ収納部２０と一体的に形成されている。
それによって、スピーカ１６は強度の高い材料によって保持されるので、携帯電話機１に外力が加わってもスピーカ１６にまでその変形が及ぶことを低減できる。
また、スピーカ１６は強度の高い材料によって保持されるので、第２筐体リアケース７のリアケーススピーカ用穴２５周辺が毀損されても、スピーカ１６がその影響を受けることを低減することができる。
さらに、上部ストラップブラケット８はスピーカホルダの機能も果たすので、２つの部材を１つの部材とすることができ、部品数の削減に資する。そして、部品数が削減されれば、作成コスト削減、組み付けコスト等の削減となる。
【００３８】
第２筐体３の内部には、バッテリー収納空間１１側に引き出し可能なＩＣカードトレイ１２を有し上部ストラップブラケット８はＩＣカードトレイ１２の動きを規制する規制部１５をも有している。
これによって、ＩＣカードトレイ１２がぐらついてＩＣカード３０の接続不良を防ぐことができる。さらに、ＩＣカードトレイ１２を引き出し可能としているＩＣカードホルダ１３の機構が棄損するおそれを低減することができる。
【００３９】
第２筐体３に上部ストラップブラケット８を係止するための第１ネジ１７、第２ネジ１８を有し、第１ネジ１７、第２ネジ１８の少なくとも１つはスピーカ１６と規制部１５との近傍に配置される。
これによって、振動する部材であるスピーカ１６が第２筐体リアケース７と強固に固定されることになるので、スピーカ１６の振動を抑制することができる。
また、規制部１５も第２筐体リアケース７と強固に結合されることになるので、規制部１５が動いてＩＣカードトレイ１２を保持する役割を果たさなくなることを抑制することができる。
【００４０】
上部ストラップブラケット８は、自己潤滑性の樹脂で形成されている。
これによって、ＩＣカードトレイ１２が規制部１５と当接した時に滑りがよくなるために、ＩＣカードトレイ１２をより滑らかに出し入れすることができるようになる。
【００４１】
なお、以上の実施形態において、第２筐体３（第２筐体フロントケース６及び第２筐体リアケース７）は本発明の筐体の一例であり、第１ネジ及び第２ネジ１８は係止部材の一例である。
また、ＩＣカード３０は，記憶機能を有するカードであればどのようなものであってもよい。
【００４２】
本発明は、以上の実施形態に限定されず、種々の態様で実施されてよい。
【００４３】
携帯電子機器は、携帯電話機１に限定されない。例えば、携帯電子機器は、ノートパソコン、ＰＤＡ、ゲーム機、カメラであってもよい。また、携帯電子機器は、折り畳み式のものに限定されない。ケースが一体的に構成されたもの（１つのみのケース）であってもよい
【図面の簡単な説明】
【００４４】
【図１】本発明の実施形態に係る携帯電話機１の外観を開状態で示す斜視図である。
【図２】外部側方向から内部側方向を向いて第２筐体３を斜めから見た外観斜視図である。
【図３】バッテリーカバー１０及びバッテリーを除去した第２筐体リアケース７を見た外観斜視図である。
【図４】図３においてＩＣカードトレイ１２を引き出したものである。
【図５】第２筐体を内部側から見た外観図である。
【図６】第２筐体リアケース７の拡大斜視図である。
【図７】上部ストラップブラケット８の拡大図である。
【符号の説明】
【００４５】
１…携帯電話機、２…第１筐体、３…第２筐体、４…第１筐体フロントケース、５…第１筐体リアケース、６…第２筐体フロントケース、７…第２筐体リアケース、８…上部ストラップブラケット、９…下部ストラップブラケット、１０…バッテリーカバー、１１…バッテリー収納空間、１２…ＩＣカードトレイ、１３…ＩＣカードホルダ、１４…ＩＣカードトレイ取手部、１５…規制部、１６…スピーカ、１７…第１ネジ、１８…第２ネジ、１９…ＩＣカードホルダ収納部、２０…スピーカ収納部、２１…ストラップ取付部、２２…第２ネジ貫通穴、２３…第１ネジ貫通穴、２４…スピーカ用穴、２５…リアケーススピーカ用穴、２６…リアケース側規制部、２７…ストラップ取付部支持部、２８…ストラップブラケットベース部、２９…スピーカ用穴突起部、３０…ＩＣカード、３１…ＩＣカードの端子
【図１】
2010154357.tif 000003
【図２】
2010154357.tif 000004
【図３】
2010154357.tif 000005
【図４】
2010154357.tif 000006
【図５】
2010154357.tif 000007
【図６】
2010154357.tif 000008
【図７】
2010154357.tif 000009